(57)【特許請求の範囲】
【請求項１】
波の運動エネルギを電力エネルギに変換する波力発電に用いられる浮標であって、
海上に浮遊して波の動きによって流動する本体部と、
前記本体部の一側に形成され、前記本体部と分離及び結合可能な運動抵抗部と、
前記本体部と前記運動抵抗部とを結合する結合部と、
を備え、
前記本体部は複数の本体部孔を含み、前記運動抵抗部は複数の運動抵抗部孔を含み、前記結合部は、前記本体部孔及び運動抵抗部孔に挿入されて前記本体部と前記運動抵抗部とを結合するように構成されており、
前記運動抵抗部は、丸めたり、たたむことのできる柔軟性又は弾性を有する材質で形成され、たたんだり、丸めて保管することができ、
前記結合部は、前記運動抵抗部を、中心部から放射状に延長するように結合しており、これにより、様々な方向で加えられる波から力の伝達を受けることができる、
浮標。
【請求項２】
前記本体部は、複数のセグメントに分離、又は複数のセグメントを組み立てることができる、請求項１に記載の浮標。
【請求項３】
前記結合部は、前記本体部の複数のセグメントを結合することができる、請求項２に記載の浮標。
【請求項４】
前記運動抵抗部は、複数のセグメントに分離、又は複数のセグメントを組み立てることができる、請求項１に記載の浮標。
【発明の詳細な説明】
【技術分野】
【０００１】
本発明は、組立式浮標に関し、より詳しくは、海洋に浮遊して波に流動する浮標を海洋に設置するために、陸路及び海上を通ってその場所まで効率的に運搬して設置できるように、浮標の各部材及びその浮標をセグメントに分離して、別々に製造して組み立てることのできる浮標に関する。
【背景技術】
【０００２】
近年、浮標は浮力を有して海上に浮遊して位置し、観測のための様々なデータを提供する有用な海洋道具として用いられている。また、浮力を有する浮標は、様々な波の動きで自然に流動するため、環境にやさしい動力を得ることができる手段として多くの開発が進められている。
【０００３】
環境にやさしい波力発電において、浮標の流動は、電気エネルギを生産するための最も基本的な動力源であり、これは、浮標の浮力と多方向から受ける波の力によって流動が生じて動力が発生するようになる。
【０００４】
浮標の動力発生に対する効率を上げるためには、そのサイズを大型化して浮力を増加させる必要があり、補助部材を結合して波から発生する運動エネルギがより効率的に伝達されるようにしなければならないため、そのサイズと重量が増加するようになる。大型浮標は、小型浮標よりも波の運動エネルギを伝達する効率と浮標の活用範囲が広くなるが、それに係る設置及び運搬が難しくなり、その費用が増加することになる。
【０００５】
現在、道路の運行で制限される高さは４ｍであり、幅は２．５ｍである。このような制限により、大型浮標の場合は陸路における移動時に制限があり、これは、多くの費用と時間を費やして他の移動方法を探さなければならないという問題点が生じる。
【０００６】
また、大型浮標の設置の際にもその重量とサイズのために、組み立てに多くの費用と時間を必要とし、それに係る設置に対する自由が制限される。維持管理及び交換においても多くの費用と制約事項の困難が伴う。
【０００７】
したがって、大型浮標の移動と設置、維持管理において、その費用と時間を減らし、効率的に運用することのできる製造方法と研究が求められる。
【発明の概要】
【発明が解決しようとする課題】
【０００８】
一実施形態に係る浮標は、波の運動エネルギを電力エネルギに変換する波力発電に用いられる浮標であって、海上に浮遊して波の動きによって流動する本体部と、前記本体部の一側に形成され、前記本体部と分離及び結合可能な運動抵抗部及び前記本体部と前記運動抵抗部とを結合する結合部と、を備えてもよい。
【０００９】
また、前記本体部は、複数のセグメントに分離、又は複数のセグメントを組み立ててもよい。
【００１０】
また、前記結合部は、前記本体部の複数のセグメントを結合することができる。
【００１１】
また、前記運動抵抗部は、複数のセグメントに分離、又は複数のセグメントを組み立ててもよい。
【００１２】
また、前記運動抵抗部の材質は、木、ゴム、布、織物、又は弾性素材を備えてもよい。
【００１３】
別の実施形態に係る浮標は、波の運動エネルギを電力エネルギに変換する波力発電に用いられる浮標であって、海上に浮遊して波の動きによって流動し、複数のセグメントに分離可能な本体部と、前記複数のセグメントを結合する結合部と、を備えてもよい。
【００１４】
また、前記本体部は、前記本体部の一側に連結され、放射形に形成される運動抵抗部をさらに備えてもよい。
【００１５】
また、前記結合部は、前記複数のセグメントを結合すると共に、前記運動抵抗部を前記本体部の一側に固定することができる。
【００１６】
また、前記運動抵抗部は、複数のセグメントに分離可能にしてもよい。
【発明の効果】
【００１７】
本発明によれば、浮標の運搬と設置において、制限された空間と環境で、より効率的に運搬及び設置をできるようにする組立式浮標を提供し、浮標と各部材を複数のセグメントに分離することで、より便利且つ小型化された構造によって、その生産性の効率を高めることができる。
【００１８】
また、セグメント化された浮標の各部材は、互いに異なる設置場所の海洋環境に対応して効率的に組み立て、設置することができ、メンテナンスの際に必要な部分のセグメントだけを分離して交換が可能であり、費やす費用と時間を効率的に節約して軽減することができる。
【図面の簡単な説明】
【００１９】
【図１】一実施形態に係る浮標の斜視図である。
【図２】一実施形態に係る浮標の分解斜視図である。
【図３】一実施形態に係る複数のセグメントを含む本体部を示す図である。
【図４】一実施形態に係る本体部のセグメント間の結合部分を示す図である。
【図５】一実施形態に係る運動抵抗部を示す図である。
【図６】一実施形態に係る運動抵抗部の結合形態を示す図である。
【図７】一実施形態に係る運動抵抗部の孔を示す図である。
【発明を実施するための形態】
【００２０】
以下、本発明に係る実施形態を例示的な図面によって詳細に説明する。各図面の構成要素に参照符号を付加するにおいて、同一の構成要素については、たとえ他の図面上に表示されたとしても、可能な限り同一の符号にするようにしていることに留意しなければならない。また、本発明の実施形態を説明するにおいて、関連する公知構成又は機能に対する具体的な説明が本発明の実施形態に対する理解を妨げると判断される場合には、その詳細な説明を省略する。
【００２１】
図１は、一実施形態に係る浮標の斜視図であり、図２は、一実施形態に係る浮標の分解斜視図である。
【００２２】
図１及び図２を参照すると、本発明の浮標１は、本体部１００、本体部孔１１０、結合部２００、結合固定部２１０、運動抵抗部３００、運動抵抗部孔３１０を備えてもよい。
【００２３】
海上に浮遊する浮標１の本体部１００は、浮力を有する材質で構成されており、波の動きによって海上で自由に流動することができる。
【００２４】
本体部１００の形態は、プレート形状、楕円柱、円柱、多角柱、ドーム形状を備えてもよい。本体部１００は、円盤状であってもよいが、これに限定されることはない。
【００２５】
浮標１の本体部１００には本体部孔１１０が形成され、結合部２００は本体部孔１１０に挿入されてもよい。本体部孔１１０は、複数で構成され、例えば、本体部１００に形成された本体部孔１１０を中心に本体部１００の円周方向に複数の本体部孔１１０が形成されてもよい。
【００２６】
結合部２００は、本体部１００及び運動抵抗部３００を結合することができる。例えば、結合部２００は、本体部１００及び運動抵抗部３００の一部を貫通して本体部１００及び運動抵抗部３００を結合することによって浮標１を形成してもよい。結合方法は、これらに制限されることはない。
【００２７】
結合部２００は、ピン、ボルト、又はジョイント形態で構成することができるが、その形態は限定されない。
【００２８】
結合固定部２１０，２２０は、結合部２００と締結され、結合部２００が本体部１００又は運動抵抗部３００から離脱するのを防止することができる。結合固定部２１０，２２０は、ねじ構造を含んで結合部２００と締結されてもよい。結合固定部２１０，２２０は、ナット、ボルト、クリップなどで構成してもよく、結合部２００の離脱を防止できる別の構成を用いてもよい。
【００２９】
例えば、結合固定部２１０，２２０は、本体部１００の一側で結合部２００と締結される第１結合固定部２１０を備えてもよい。第１結合固定部２１０は、本体部１００の一側で結合部２００と締結され、結合部２００が本体部孔１１０から離脱するのを防止することができる。
【００３０】
運動抵抗部３００は、本体部１００の一側面に位置し、結合部２００によって本体部１００の一側に固定されてもよい。運動抵抗部３００は、仕切り状に構成され、浮標１は、波の運動エネルギを効率的に受け取ることができる。
【００３１】
また、運動抵抗部３００の一側には、結合部２００の数に対応する運動抵抗部孔３１０が形成されてもよい。
【００３２】
結合部２００の一部は、運動抵抗部孔３１０に挿入され、運動抵抗部３００を本体部１００の一側に固定することができる。
【００３３】
例えば、結合固定部２１０，２２０は、運動抵抗部３００の一側で結合部２００と締結される第２結合固定部２２０を備えてもよい。第２結合固定部２２０は、運動抵抗部３００の一側で結合部２００と締結され、結合部２００が運動抵抗部孔３１０から離脱するのを防止してもよい。
【００３４】
このように、結合部２００の両側に第１結合固定部２１０及び第２結合固定部２２０が締結されることによって、運動抵抗部３００を本体部１００の一側に固定することができる。
【００３５】
図３は、一実施形態に係る複数のセグメントを含む本体部を示す図である。
【００３６】
図３を参照すると、一実施形態に係る本体部１００は、複数のセグメント（ｓｅｇｍｅｎｔ）を備えてもよい。それぞれのセグメント（ｓｅｇｍｅｎｔ）は、分離又は結合してもよい。本体部１００を複数のセグメントに分離することによって、浮標を効率的に運搬及び設置することができる。
【００３７】
それぞれのセグメントには、本体部孔１１０が形成され、それぞれのセグメントが連結されて本体部１００の中心部に本体部孔１１０を形成してもよい。
【００３８】
それぞれのセグメントは、互いに組立可能に構成され、ユーザが容易に分離したり組み立てることができ、必要に応じて一部のセグメントだけを分離又は組立可能に構成してもよい。
【００３９】
結合部の一部は、本体部１００に運動抵抗部を固定し、一部は、本体部のセグメントを締結するように構成してもよい。又は、結合部２００は、セグメントを締結すると共に、本体部１００に運動抵抗部を固定する構成も可能である。
【００４０】
図４は、本体部のセグメント間の結合部分を示す図面であり、図５は、一実施形態に係る運動抵抗部を示す図面であり、図６は、一実施形態に係る運動抵抗部の結合形態を示す図である。
【００４１】
以下、図４〜図６を参照して本発明の実施形態に係る浮標の本体部１００と運動抵抗部３００のセグメント間の結合構造について詳細に説明することにする。
【００４２】
図４を参照すると、セグメント１００ａ，１００ｂは、相互締結時に係合する構造として形成されてもよい。例えば、セグメント１００ａ，１００ｂの一側は、セグメント１００ａ，１００ｂの側面上部に突出し、他側はセグメント１００ａ，１００ｂの側面下部から突出するように構成してもよい。
【００４３】
例えば、第１セグメント１００ａの他側と第２セグメント１００ｂの一側とを嵌合して、第１セグメント１００ａと第２セグメント１００ｂとを締結してもよい。
【００４４】
第１セグメント１００ａの他側には、側面下部で第１セグメント１００ａの高さの半分で形成された第１突出部１０１ａが形成され、第２セグメント１００ｂの一側には、側面上部で第２セグメント１００ｂの高さの半分で形成された第２突出部１０１ｂが形成されてもよい。両セグメント１００ａ，１００ｂの突出部１０１ａ，１０１ｂを嵌合して、第１セグメント１００ａと第２セグメント１００ｂとを締結してもよい。
【００４５】
そして、第１突出部１０１ａ及び第２突出部１０１ｂには、本体部孔１１０が形成されてもよい。第１セグメント１００ａと第２セグメント１００ｂとを締結して単一本体部孔１１０を形成してもよい。
【００４６】
本体部孔１１０に結合部（図示せず）を挿入することによって、第１セグメント１００ａと第２セグメント１００ｂとが締結した状態を保持することができる。
【００４７】
上述した第１セグメント１００ａ及び第２セグメント１００ｂの結合形態は、例示的なものであって、複数のセグメントを結合して単一の本体部１００を形成できるものであれば、他の構成も可能である。
【００４８】
図５を参照すると、運動抵抗部３００は、丸めたり、たたむことのできる木、布、織物、ゴムなどの材質で形成してもよい。又は、運動抵抗部３００は、柔軟性又は弾性を有する材質で形成して、たたんだり、丸めて保管してもよい。ただし、運動抵抗部３００の材質と形状は、これらに限定されない。
【００４９】
運動抵抗部３００は、中心部から放射状に延長してもよく、例えば、一定の角度を置いて放射状に延長するように構成してもよい。それにより、様々な方向で加えられる波から力の伝達を受けることができる。
【００５０】
図６を参照すると、運動抵抗部３００は、複数のセグメントで構成して分離又は結合可能にしてもよい。
【００５１】
運動抵抗部３００は、運動抵抗部３００の中心に位置する中心体３００ａ及び、中心体３００ａに結合される複数のセグメント３００ｂ，３００ｃを備えてもよい。
【００５２】
中心体３００ａには、セグメント３００ｂ，３００ｃを締結できる結合構造が形成されてもよい。例えば、中心体３００ａには、Ｔ型に溝が形成され、セグメント３００ｂ，３００ｃの一部は、その溝に挿入されて中心体３００ａと締結してもよい。
【００５３】
運動抵抗部３００の構造は、これらに限定されることはなく、フック、リンク、接着、ジョイントなどの様々な結合が可能である。
【００５４】
図７を参照すると、運動抵抗部孔３１０は、運動抵抗部３００の一側に形成されてもよい。結合部（図示せず）の一部は、運動抵抗部孔３１０に挿入されてもよい。上述したように、結合部の一側には、結合固定部（図示せず）が締結され、結合部の離脱を防止することができる。
【００５５】
一方、海洋の環境は、場所によって海流、波高、風など、その発生の大きさと強度が異なり、これに係る運動抵抗部３００の組立位置、形態、方向、及び大きさなどが変わり得る。このような様々な組立環境に対応するために、運動抵抗部３００は、複数のセグメントで組み立てられ、浮標の本体部に結合する際に、様々な形態と方式によって組立及び結合が可能である。
【００５６】
例えば、波のサイズと力が過度に大きいとき、浮標が損傷しないように、運動抵抗部３００のサイズを縮小したり運動抵抗部３００に一部の孔を形成して波の運動エネルギの一部を相殺できるようにしてもよく、潮流の方向に合わせて運動抵抗部３００を組み立てて、より多くの運動エネルギが伝達されるように浮標を設置してもよい。
【００５７】
上述したように、本明細書では実施形態を限定された実施形態と図面によって説明したが、当技術分野で通常の知識を有する者であれば、上記の記載から様々な修正及び変形が可能である。例えば、説明した技術を説明した方法と異なる順序で実行したり、及び／又は説明したシステム、構造、装置などの構成要素を説明した方法と異なる形態で結合又は組み合わせたり、他の構成要素又は均等物によって代替、置換しても適切な結果が達成され得る。
【００５８】
したがって、本発明の範囲は、開示した実施形態に限定して定められるものではなく、特許請求の範囲及び特許請求の範囲と均等なものなどによって定められるものである。
【符号の説明】
【００５９】
１００    本体部
１１０    本体部孔
２００    結合部
２１０    結合固定部
３００    運動抵抗部
３１０    運動抵抗部孔
【図１】
0006608854.tif 000002
【図２】
0006608854.tif 000003
【図３】
0006608854.tif 000004
【図４】
0006608854.tif 000005
【図５】
0006608854.tif 000006
【図６】
0006608854.tif 000007
【図７】
0006608854.tif 000008